(57)【特許請求の範囲】
【請求項１】
燃料タンク内の燃料を燃料ポンプにより吸引し、該吸引された燃料を燃料供給通路を介して燃料噴射弁に圧送する構成としたエンジンのベーパ発生検出装置であって、
前記燃料供給通路における燃料の供給圧力を検出する燃圧検出手段と、
前記燃料ポンプの作動開始後所定時間における燃料供給圧力の上昇分を前記燃圧検出手段で検出された燃料供給圧力に基づき演算する圧力上昇演算手段と、
該圧力上昇演算手段で演算された燃料供給圧力の上昇分に基づいて、前記燃料ポンプの作動開始時における前記燃料供給通路内の燃料ベーパの発生量を推定するベーパ発生量推定手段と、を含んで構成されたエンジンのベーパ発生検出装置。
【請求項２】
前記圧力上昇演算手段で演算された上昇分を、前記燃料ポンプの作動開始時に前記燃圧検出手段で検出された燃料供給圧力のレベルに基づいて補正設定する圧力レベルによる補正手段を設けたことを特徴とする請求項１記載のエンジンのベーパ発生検出装置。
【請求項３】
前記圧力上昇演算手段で演算された上昇分を、前記燃料ポンプの電源電圧に基づいて補正する電源電圧による補正手段を設けたことを特徴とする請求項１又は２のいずれかに記載のエンジンのベーパ発生検出装置。
【請求項４】
前記ベーパ発生量推定手段で推定された燃料ベーパの発生量に応じて、前記燃料供給通路からリターン通路を介して燃料タンクに戻される燃料量を調整するリターン燃料量調整手段を設けたことを特徴とする請求項１〜３のいずれか１つに記載のエンジンのベーパ発生検出装置。
【請求項５】
前記燃料噴射弁の開弁時間を前記ベーパ発生量推定手段で推定された燃料ベーパの発生量に応じて補正する噴射量補正手段を設けたことを特徴とする請求項１〜３のいずれか１つに記載のエンジンのベーパ発生検出装置。
【発明の詳細な説明】
【０００１】
【産業上の利用分野】
本発明はエンジンのベーパ発生検出装置及びエンジンの制御装置に関し、詳しくは、燃料供給通路内における燃料ベーパの発生量を推定し得る装置、及び、燃料ベーパの発生量の検知結果に応じたペーパ処理及び燃料噴射制御の技術に関する。
【０００２】
【従来の技術】
従来から、エンジンの電子制御燃料噴射装置においては、燃料噴射弁の開弁制御時間によってエンジンへの燃料供給量を制御することが行われている。
かかる燃料供給装置では、燃料噴射弁に対する燃料の供給圧力と、燃料噴射弁の噴孔部付近の吸気圧力との差圧が一定でないと、噴射弁の開弁時間に対応して一定した燃料を供給させることができなくなる。そこで、燃料噴射弁に対して燃料ポンプから圧送される燃料の供給圧力（以下、単に燃圧という。）を調整するためのプレッシャレギュレータの基準圧力室に、スロットル弁下流側の吸入負圧を導き、前記基準圧力室内の圧力と燃料ポンプからの供給圧力との差圧、即ち、噴孔部の吸気圧力と燃圧との差圧が所定値以上になると、燃料タンクに燃料を戻すリターン通路を開いて、前記差圧を一定に保つようにしていた（特開昭６０−２１２６３４号公報等参照）。
【０００３】
【発明が解決しようとする課題】
ところで、上記のような燃料供給装置では、要求燃料量の急増などがあっても前記差圧を一定に保つ必要があるので、前記燃料ポンプを必要よりも大きな負荷で駆動させて、燃料ポンプから必要量よりも多めに燃料が吐き出されるようにしており、前記余分に供給された燃料は、プレッシャレギュレータから余剰燃料として燃料タンクに戻されることになっていた。
【０００４】
ここで、前記プレッシャレギュレータから燃料タンクに戻される余剰燃料は、エンジンの熱で暖められているために、前記余剰燃料を燃料タンクに戻すことは、燃料タンク内の燃料温度を上昇させることになり、燃料タンク内に燃料ベーパを発生させてしまうことがあった。
かかる問題点を解消し得る技術として、所望の燃料供給圧（所望の差圧）が得られるように、燃料ポンプの吐出量を制御するシステムがある。しかしながら、このようなシステムでは、前記問題点を解消するために噴射弁付近の燃料供給通路から燃料をタンク内に戻すことをしない（又は僅かな量しか戻さない）から、燃料供給通路内に燃料ベーパが発生している状態で始動を行わせるときに、リターン燃料による積極的な燃料循環が期待できず、燃料ベーパがそのまま噴射弁から噴射されてしまうことになる。このため、エンジンの要求燃料よりも実際に噴射供給される燃料量が少なくなって混合気の空燃比がリーン化し、始動性が悪化することがあった。
【０００５】
ここで、始動時及び始動直後に冷却水温度に応じて燃料噴射量の増量補正を行うことが行われているが、前記燃料ペーパの発生状態を冷却水温度の状態から精度良く推定することはできず、最適な増量補正を施すことは困難であった。
本発明は上記問題点に鑑みなされたものであり、燃料供給通路内におけるベーパの発生量を高精度に推定することができる装置を提供すると共に、ベーパ発生量の推定結果に基づいてベーパ発生時における空燃比制御性の悪化を防止できる装置を提供することを目的とする。
【０００６】
【課題を解決するための手段】
そのため本発明にかかるエンジンのベーパ発生検出装置は、燃料タンク内の燃料を燃料ポンプにより吸引し、該吸引された燃料を燃料供給通路を介して燃料噴射弁に圧送する構成としたエンジンのベーパ発生検出装置であっては、図１に示すように構成される。
【０００７】
図１において、燃圧検出手段は、燃料供給通路における燃料の供給圧力を検出し、圧力上昇演算手段は、燃料ポンプの作動開始後所定時間における燃料供給圧力の上昇分を前記燃圧検出手段で検出された燃料供給圧力に基づき演算する。そして、ベーパ発生量推定手段は、圧力上昇演算手段で演算された上昇分に基づいて、燃料ポンプの作動開始時における燃料供給通路内の燃料ベーパの発生量を推定する。
【０００８】
ここで、圧力上昇演算手段で演算された上昇分を、燃料ポンプの作動開始時に燃圧検出手段で検出された燃料供給圧力のレベルに基づいて補正設定する圧力レベルによる補正手段を設けることが好ましい。また、圧力上昇演算手段で演算された上昇分を、燃料ポンプの電源電圧に基づいて補正する電源電圧による補正手段を設けると良い。
【０００９】
更に、前記ベーパ発生量推定手段で推定された燃料ベーパの発生量に応じて、前記燃料供給通路からリターン通路を介して燃料タンクに戻される燃料量を調整するリターン燃料量調整手段を設けることができる。
また、前記燃料噴射弁の開弁時間を前記ベーパ発生量推定手段で推定された燃料ベーパの発生量に応じて補正する噴射量補正手段を設けることができる。
【００１１】
【作用】
かかる構成のエンジンのベーパ発生検出装置によると、燃料ポンプの作動開始後所定時間における燃料供給圧力の上昇分が求められ、ベーパ発生時に圧力上昇が鈍る特性に基づいてベーパ発生量が検出される。ここで、燃料供給圧力のレベルや燃料ポンプの電源電圧によって、前記上昇分が変化するので、演算された上昇分を前記パラメータに基づいて補正するようにした。
【００１２】
更に、燃料ベーパの発生量の推定に応じて燃料供給通路からリターン通路を介して燃料タンクに戻される燃料量を調整する。また、燃料ベーパの発生量の推定に応じて燃料噴射弁による燃料噴射量を補正することで、ベーパ発生による実際の噴射量の低下を補償する。
【００１３】
【実施例】
以下に、本発明の実施例を図面に基づいて説明する。一実施例の燃料供給装置を示す図２において、燃料タンク１内の燃料は、燃料ポンプ２によって吸引され、該燃料ポンプ２から吐き出された燃料は燃料供給通路３を介して各燃料噴射弁４に圧送される。
【００１４】
前記燃料噴射弁４は、ソレノイドに通電されて開弁し、通電停止されて閉弁する電磁式燃料噴射弁であり、後述するコントロールユニット９から送られるエンジンの要求燃料量に対応する所定パルス幅（開弁時間）の駆動パルス信号に応じて開弁制御され、図示しないエンジンのスロットル弁下流側の吸気管内に燃料を噴射供給する。
【００１５】
前記燃料供給通路３には、燃料フィルタ５が介装されると共に、燃料噴射弁４の近傍で燃料供給圧力（以下、単に燃圧という。）ＰＦを検出する燃圧検出手段としての燃圧センサ６が設けられている。該燃圧センサ６で検出される燃圧ＲＰＦは、後述する燃料ポンプ２の駆動制御に用いられ、前記燃圧ＲＰＦに基づいて燃料ポンプ２への印加電圧ＶＦＰが調整されるようになっている。
【００１６】
また、前記燃料噴射弁４で噴射されなかった燃料を燃料タンク１に戻すためのリターン通路７が燃料供給通路３から延設されており、該リターン通路７の燃料供給通路３からの分岐部には、リターン燃料量調整手段としての電磁開閉弁８が介装されている。そして、前記電磁開閉弁８が開制御されると、燃料供給通路３と燃料タンク１とが絞りを介して連通されるようになり、燃料供給通路３内から所定量の燃料が燃料タンク１内に戻される。
【００１７】
前記燃料ポンプ２の駆動電圧ＶＦＰ及び前記電磁開閉弁８の開閉動作は、マイクロコンピュータを内蔵したコントロールユニット９によって制御されるようになっており、かかる制御のために前記コントロールユニット９には、前記燃圧センサ６からの検出信号が入力されると共に、図示しないエンジンの吸入負圧ＰＢを検出するブーストセンサ10、スタートスイッチ11、イグニッションスイッチ（ＩＧＳＷ）12などからの信号が入力されるようになっている。
【００１８】
コントロールユニット９は、前記燃圧センサ６で検出される燃圧ＲＰＦと、前記ブーストセンサ10で検出される吸入負圧ＰＢとの差圧が一定値になるように、燃料ポンプ２への印加電圧ＶＦＰを調整して燃圧ＲＰＦを制御する。また、電磁開閉弁８の開閉制御については後述する。
また、本実施例において、前記コントロールユニット９は、燃料噴射弁４の開弁時間を介してエンジンへの燃料供給量を制御する機能（噴射量制御手段としての機能）を有しており、かかる制御のために、エアフローメータ13からの吸入空気流量検出信号Ｑ、クランク角センサ14からの回転速度信号Ｎｅなどが入力されるようになっている。
【００１９】
そして、コントロールユニット９は、燃圧と吸入負圧との差圧が一定値に調整されていることを前提として、吸入空気流量Ｑと回転速度Ｎｅとに基づいて基本噴射パルス幅Ｔｐ（基本開弁時間）を演算する一方、始動及び始動後補正係数等を含む各種補正係数ＣＯＥＦを設定し、前記基本噴射パルス幅Ｔｐを各種補正係数ＣＯＥＦで補正して最終的な噴射パルス幅Ｔｉを設定する。そして、前記噴射パルス幅Ｔｉの駆動パルス信号を燃料噴射弁４に対して所定タイミングで出力することで、エンジンの要求に見合った燃料を、間欠的に噴射供給させる。
【００２０】
ここで、コントロールユニット９は、図３のフローチャートに示すように、エンジン始動時に燃料供給通路３内に発生しているベーパ量を推定する機能（ベーパ発生量推定手段としての機能）を有しており、更に、後述するようにかかる推定結果に基づいて前記電磁開閉弁８の開閉制御及び前記燃料噴射弁４による噴射量の補正制御を行うようになっている。
【００２１】
図３のフローチャートにおいて、まず、ステップ１（図中ではＳ１としてある。以下同様）では、イグニッションスイッチ（ＩＧＳＷ）12がＯＦＦ状態からＯＮに切り換えられたか否かを判別する。ここで、イグニッションスイッチ12がＯＦＦ状態からＯＮに切り換えられると、ステップ２へ進み、燃圧センサ６で検出された燃圧ＲＰＦを読み込み、該燃圧ＲＰＦを初期燃圧としてＳＴＰＦにセットする。
【００２２】
次に、ステップ３へ進み、イグニッションスイッチ12がＯＮされてからの経過時間を計測するためのタイマーＴＩＭをゼロスタートさせる。
また、ステップ４では、燃料ポンプ２に対する実際の供給電圧ＶＦＰのレベルを読み込む。
このような初期処理が終了すると、次回からはステップ１からステップ５へ進む。
【００２３】
ステップ５では、イグニッションスイッチ12がＯＮされたときにゼロスタートさせたタイマーＴＩＭと所定値とを比較し、タイマーＴＩＭが所定値にまでカウントアップされるまでは、ステップ６へ進んで、タイマーＴＩＭのカウントアップを実行させる。
そして、前記タイマーＴＩＭが所定値にまでカウントアップされると、ステップ５からステップ７へ進み、そのときに燃圧センサ６で検出された燃圧ＲＰＦを読み込む。
【００２４】
次のステップ８では、上記ステップ７で読み込んだ燃圧ＲＰＦと、前記ステップ２で設定したイグニッションスイッチ12がＯＮされたときの初期燃圧ＳＴＰＦとの偏差ＤＰＦを演算する。前記偏差ＤＰＦは、イグニッションスイッチ12がＯＮされてから所定時間内における燃圧ＲＰＦの上昇分（上昇割合）に相当し、上記ステップ８が圧力上昇演算手段に相当する。
【００２５】
また、ステップ９では、前記初期燃圧ＳＴＰＦに基づいて前記偏差ＤＰＦを補正するための補正係数ＤＰＳＴを設定する。このステップ９の機能が、圧力レベルによる補正手段に相当する。
更に、ステップ10では、ステップ４で求めた燃料ポンプ２に対する供給電圧ＶＦＰに基づいて前記偏差ＤＰＦを補正するための補正係数ＤＰＶＦを設定する。このステップ10の機能が、電源電圧による補正手段に相当する。
【００２６】
そして、ステップ11では、前記偏差ＤＰＦに前記補正係数ＤＰＳＴ，ＤＰＶＦを乗算して補正し、該補正結果をベーパ発生量を推定するために用いる燃圧ＲＰＦの上昇割合ＤＰとする。ステップ12では、前記上昇割合ＤＰに基づいてベーパ発生量ランクを決定する。即ち、エンジン停止直後の再始動時などで、燃料供給通路３内にベーパが発生している状態で燃料ポンプ２の作動を開始させると、図４に示すように、ベーパがない場合に比べ燃圧ＲＰＦの上昇が鈍る傾向を示す。そこで、始動時に実際の燃圧ＲＰＦの上昇割合を求め、該上昇割合からベーパの発生量を推定させるものであり、前記ステップ12がベーパ発生量推定手段に相当する。
【００２７】
尚、前記燃圧ＲＰＦの上昇割合は、ベーパ発生量の他に、圧力上昇開始時の圧力レベルや燃料ポンプ２の電源電圧に応じて変化するので、前記補正係数ＤＰＳＴ，ＤＰＶＦで偏差ＤＰＦを補正することで、前記圧力上昇開始時の圧力レベルや燃料ポンプ２の電源電圧の影響を排除するようにした。ところで、前記図２に示した燃料供給システムでは、燃圧センサ６により検出される燃圧ＲＰＦとブーストセンサ10で検出される吸入負圧ＰＢとの差圧が一定値になるように、燃料ポンプ２の印加電圧（吐出量）を制御するから、前記電磁開閉弁８を閉じてリターン燃料を零とした状態で燃料供給が行える。
【００２８】
しかしながら、上記のようにしてベーパ発生量を推定した結果、多量のベーパが燃料供給通路３内に発生していると推定される場合には、リターン燃料をゼロとした状態では、燃料噴射弁４から燃料と共にベーパが噴射されて、所期の燃料量を噴射供給させることができなくなる。そこで、本実施例では、図５のフローチャートに示すようにして、ベーパ発生量の推定結果に基づいてリターン通路７を開いて、ベーパを燃料タンク１内に排出させるようにする。尚、本実施例において、リターン燃料量制御手段としての機能は、前記図５のフローチャートに示すようにコントロールユニット９が備えている。
【００２９】
図５のフローチャートにおいて、まず、ベーパ検知手段としてのステップ21では、前記図３のフローチャートに示すようにして、始動時における燃圧の上昇割合に基づいてベーパ発生量のランクを検出する。ステップ22では、前記ベーパ発生量の推定結果に基づく初期設定が終了しているか否かを判別し、初期設定がなされていない場合には、ステップ23へ進む。
【００３０】
ステップ23では、ステップ21で求めた前記ベーパ発生量ランクに基づいて、電磁開閉弁８を開制御する時間ＶＯＴをセットする。ここで、ベーパ発生量ランクが高く、多量のベーパが発生していると推定されているときほど、前記時間ＶＯＴとして長い時間を設定させるようにしてある。
次のステップ24では、上記ステップ23で設定された時間ＶＯＴを計測するためのタイマーＴＩＭＶをゼロスタートさせ、ステップ25では、前記電磁開閉弁８を開制御する。
【００３１】
尚、前記ステップ21におけるベーパ発生量ランクの検出においては、電磁開閉弁８は閉状態に固定しておく。
上記のように、ベーパ発生量ランクに応じて電磁開閉弁８を開く時間ＶＯＴを設定すると、今度はステップ22からステップ26へ進み、前記時間ＶＯＴとタイマーＴＩＭＶによる計測時間とを比較し、タイマーＴＩＭＶによる計測時間が時間ＶＯＴに達していないときには、ステップ27へ進み、電磁開閉弁８を開状態に保ったままタイマーＴＩＭＶを更新させる。
【００３２】
一方、ステップ26で時間ＶＯＴが経過したことが判別されると、ステップ28へ進み、電磁開閉弁８を閉じて、ベーパ排出のための電磁開閉弁８の開制御を終了させる。
このように、始動時にベーパ発生量の推定結果に基づいて電磁開閉弁８を開くようにすれば、燃料供給通路３内の燃料が速やかに循環されて、燃料噴射弁４からベーパが噴射されてしまうことを回避できると共に、時間ＶＯＴをベーパ発生量の推定結果に応じて設定することで、無駄なリターン燃料の発生が防がれる。尚、上記実施例では、電磁開閉弁８の開弁時間ＶＯＴをベーパ発生量に応じて可変設定したが、電磁開閉弁８の開度をベーパ発生量に応じて調整させても良い。
【００３３】
上記実施例では、ベーパ発生量の推定結果に基づいて電磁開閉弁８を開制御させてベーパを燃料タンク１内に排出させるようにしたが、リターン燃料を発生させてベーパを排出させる代わりに、燃圧ＲＰＦを強制的に上昇させて、同じ噴射時間（開弁時間）に対して得られる噴射量を通常よりも多くし、ベーパを含むことによる噴射量の減少分を補償させるようにしても良い。
【００３４】
かかる燃圧補正を行う実施例を図６のフローチャートに従って以下に説明する。尚、図６のフローチャートに示す制御は、燃圧の増大制御によって噴射量を増大させるものであり、コントロールユニット９における噴射量補正手段としての機能を示す。図６のフローチャートにおいて、まず、ベーパ検知手段としてのステップ31では、前記図３のフローチャートに示すようにして、燃圧ＲＰＦの上昇割合からベーパ発生量のランクを判定する。
【００３５】
次のステップ32では、燃圧補正の初期設定が終了しているか否かを判別し、非終了時には、ステップ33へ進む。
ステップ33では、ベーパ発生量のランクに応じて燃圧の増大補正代ＤＬＴＰを設定する。ここでは、ベーパの発生量が多いときほど、噴射弁の開弁時間に対する実際の噴射量の減少度合いが大きくなるから、ベーパ発生量のランクが高いときほど増大補正代ＤＬＴＰを大きく設定するようにしてある。
【００３６】
上記ステップ33で設定された増大補正代ＤＬＴＰは、ステップ34で所定値ΔＰずつ減少修正され、該修正結果が０以下となったことがステップ35で判別されると、ステップ36で増大補正代ＤＬＴＰを零として、ベーパ発生量に応じた燃圧補正を終了させる。
前記増大補正代ＤＬＴＰは、ステップ37において、基本差圧に加算され、該加算結果が最終的な目標差圧ＣＰＦとして設定される。コントロールユニット９では、燃圧センサ６で検出される燃圧ＲＰＦとブーストセンサ10で検出される吸入負圧ＰＢとの差圧が、前記目標差圧ＣＰＦになるように燃料ポンプ２の印加電圧を制御する。
【００３７】
更に、始動時のベーパを含む燃料の噴射による噴射量の減少を補償する技術としては、図７のフローチャートに示すように、噴射パルス幅Ｔｉを増大補正するようにしても良く、前記パルス幅Ｔｉの増大補正機能が噴射量補正手段に相当する。図７のフローチャートにおいて、まず、ステップ41では、前記図３のフローチャートに示すようにして、燃圧ＲＰＦの上昇割合からベーパ発生量のランクを判定する。
【００３８】
ステップ42では、ベーパ発生量に基づく噴射パルス幅の補正制御の初期セットが終了しているか否かを判別し、非終了時にはステップ43へ進む。
ステップ43では、前記各種補正係数ＣＯＥＦ（←１＋ＫＳＴＰＦ＋ＫＡＳＰＦ＋・・・）に含まれる始動時増量補正係数ＫＳＴＰＦを、ベーパ発生量ランクに応じて設定する。また、ステップ44では、同じく前記各種補正係数ＣＯＥＦに含まれる始動後増量補正係数ＫＡＳＰＦを、やはりベーパ発生量ランクに応じて設定する。
【００３９】
ここで、始動時増量補正係数ＫＳＴＰＦ及び始動後増量補正係数ＫＡＳＰＦは、ベーパ発生量ランクが高くベーパ発生量が多いときほど大きな値として設定され、より噴射パルス幅を増大補正するようになっている。
上記のようにして始動時増量補正係数ＫＳＴＰＦ及び始動後増量補正係数ＫＡＳＰＦを、ベーパ発生量ランクに応じて設定すると、ステップ45ではスタートスイッチ11のオン・オフを判別する。
【００４０】
スタートスイッチ11がＯＮ状態であるときには、前記ステップ43，44で設定した始動時増量補正係数ＫＳＴＰＦ及び始動後増量補正係数ＫＡＳＰＦをそのまま用いて噴射パルス幅Ｔｉの補正を行わせる。
一方、スタートスイッチ11がＯＦＦされると、ステップ46へ進み、前記始動後増量補正係数ＫＡＳＰＦを所定値ａずつ減少修正し、次のステップ47では、前記始動時増量補正係数ＫＳＴＰＦをゼロリセットする。
【００４１】
ステップ48では、ステップ46で減少修正された前記始動後増量補正係数ＫＡＳＰＦが０以下になったか否かを判別し、０にまで減少修正されたときには、ステップ49で補正係数ＫＡＳＰＦを０とするが、０にまで減少していないときには、再度ステップ46における減少修正を実行させるべくそのまま終了させる。
即ち、スタートスイッチ11がＯＦＦされると、直ちに始動時増量補正係数ＫＳＴＰＦをゼロリセットし、始動後増量補正係数ＫＡＳＰＦについては徐々に０にまで減少させるようにする。
【００４２】
上記のようにして始動時のベーパ発生量の推定結果に基づいて始動時増量補正係数ＫＳＴＰＦ及び始動後増量補正係数ＫＡＳＰＦを設定させることで、ベーパを含んだ燃料を噴射弁４が噴射することによる噴射量の減少を補償することができる。尚、上記図５〜図７の各フローチャートに示す制御では、始動時の燃圧上昇割合に基づいたベーパ発生量の推定結果を用いて各種の制御を実行させるようにしたが、他のベーパ検知方法を用いても良いことは明らかである。
【００４３】
【発明の効果】
以上説明したように本発明によると、始動時における燃料供給通路内におけるベーパ発生量を精度良く推定することができる一方、ベーパ発生時にベーパが燃料と共に燃料噴射弁から噴射されることを抑止でき、また、ベーパを含む燃料を噴射することによる噴射量の減少を補償することができるようになるという効果がある。
【図面の簡単な説明】
【図１】本発明の構成を示すブロック図。
【図２】本発明の実施例のシステム構成を示す図。
【図３】実施例におけるベーパ発生量の推定制御を示すフローチャート。
【図４】ベーパ発生量による燃圧上昇特性の違いを示すタイムチャート。
【図５】実施例におけるリターン燃料量制御を示すフローチャート。
【図６】実施例における燃圧補正制御を示すフローチャート。
【図７】実施例における噴射パルス幅の補正制御を示すフローチャート。
【符号の説明】
１…燃料タンク
２…燃料ポンプ
３…燃料供給通路
４…燃料噴射弁
６…燃圧センサ
７…リターン通路
８…電磁開閉弁
９…コントロールユニット
10…ブーストセンサ
11…スタートスイッチ
12…イグニッションスイッチ
13…エアフローメータ
14…クランク角センサ
【図１】
0003705823.tif 000002
【図２】
0003705823.tif 000003
【図３】
0003705823.tif 000004
【図４】
0003705823.tif 000005
【図５】
0003705823.tif 000006
【図６】
0003705823.tif 000007
【図７】
0003705823.tif 000008